【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
遊技用の操作部の操作に基づいて図柄の変動が開始および停止する複数の図柄の表示部と、遊技球貯留皿に貯留した遊技球を取り込む球取込装置と、遊技の帰趨に応じて上記遊技球貯留皿に賞球として遊技球を払い出す賞球払出装置と、予め設定した複数個の取り込み遊技球に対し１回の遊技を許容し、図柄の変動と遊技球の取り込みおよび払い出しとを司る制御装置とを有する遊技機において、
上記操作部には、上記遊技球貯留皿から遊技球を取り込むときに操作する自動投入操作手段と手動投入操作手段を設け、
上記球取込装置を、遊技球を１つずつ下流へ送出する遊技球送出手段と、該遊技球送出手段の下流で、取り込まれる遊技球の通過を検出する遊技球通過検出手段とを具備する構成とし、
上記制御装置を、上記遊技球送出手段を連続作動せしめるとともに、遊技球の取り込み数が所定回数の遊技に必要な単位球数になるごとに、遊技可能な回数を上記所定回数ずつ加算し記憶するようなし、
かつ上記記憶される遊技可能な回数には最大値を設定し、
上記制御装置は、上記自動投入操作手段の操作により、上記球取込装置が上記遊技可能な回数の最大値を目標とする遊技球の取り込み作動を行い、
一方、上記手動投入操作手段の操作により、上記球取込装置が１回の遊技に必要な単位球数を取り込み作動を行うことを特徴とする遊技機。
【請求項２】
請求項１に記載の遊技機において、
上記自動投入操作手段の一度の操作により、上記最大値を目標とする遊技球の取り込み作動を繰り返し行う自動球送りモードに移行するようになし、該自動球送りモード中であることを報知する報知手段を設けた遊技機。
【請求項３】
請求項２に記載の遊技機において、
上記自動球送りモードを、上記遊技可能な回数の記憶値が、所定の時間、変化しなければ解除するようになした遊技機。
【請求項４】
請求項２または３に記載の遊技機において、
上記操作部には、遊技を終了するときに未払い賞球等の払い出しを行う精算操作手段を備え、
上記自動球送りモードを、上記精算操作手段または上記手動投入操作手段の操作により解除するようになした遊技機。
【請求項５】
請求項１に記載の遊技機において、
該遊技機には別体のプリペードカード式球貸機が接続され、該プリペードカード式球貸機と通信することで球貸しを行うように構成され、
上記制御装置に記憶される上記遊技可能な回数が最大値になると、球貸しを無効にする球貸し禁止状態となし、該球貸し禁止状態は、上記遊技可能な回数の記憶が予め設定した所定の下限値になると解除するようになした遊技機。
【請求項６】
請求項２に記載の遊技機において、
該遊技機には別体のプリペードカード式球貸機が接続され、該プリペードカード式球貸機と通信することで球貸しを行うように構成され、
上記自動球送りモード中に、球貸し操作を行うと、上記制御装置の上記遊技可能な回数の記憶を加算するようになした遊技機。
【手続補正２】
【補正対象書類名】明細書
【補正対象項目名】０００９
【補正方法】変更
【補正の内容】
【０００９】
請求項１記載の発明では、遊技用の操作部の操作に基づいて図柄の変動が開始および停止する複数の図柄の表示部と、遊技球貯留皿に貯留した遊技球を取り込む球取込装置と、遊技の帰趨に応じて上記遊技球貯留皿に賞球として遊技球を払い出す賞球払出装置と、予め設定した複数個の取り込み遊技球に対し１回の遊技を許容し、図柄の変動と遊技球の取り込みおよび払い出しとを司る制御装置とを有する遊技機において、上記操作部には、上記遊技球貯留皿から遊技球を取り込むときに操作する自動投入操作手段と手動投入操作手段を設け、上記球取込装置を、遊技球を１つずつ下流へ送出する遊技球送出手段と、該遊技球送出手段の下流で、取り込まれる遊技球の通過を検出する遊技球通過検出手段とを具備する構成とし、上記制御装置を、上記遊技球送出手段を連続作動せしめるとともに、遊技球の取り込み数が所定回数の遊技に必要な単位球数になるごとに、遊技可能な回数を上記所定回数ずつ加算し記憶するようなし、かつ上記記憶される遊技可能な回数には最大値を設定し、上記制御装置は、上記自動投入操作手段の操作により、上記球取込装置が上記遊技可能な回数の最大値を目標とする遊技球の取り込み作動を行い、一方、上記手動投入操作手段の操作により、上記球取込装置が１回の遊技に必要な単位球数を取り込み作動するようになす。
【手続補正３】
【補正対象書類名】明細書
【補正対象項目名】００１０
【補正方法】変更
【補正の内容】
【００１０】
遊技球送出手段が連続作動し、遊技球が澱みなく取り込まれるので、短時間で遊技可能回数が加算され、遊技が可能な状態に維持される。また、自動投入操作手段の操作により、遊技者は遊技球投入操作の手間がかからず、遊技に集中することができる。手動投入操作手段の操作により遊技者は遊技を行う回数を決めることができ、決定された回数分の遊技球のみを正確に取り込むことができる。また、遊技者は自動および手動投入操作手段を使い分けることで、遊技を連続的に行う場合と、所定の回数行う場合とを選択できる。なお、単位球数で可能な遊技の回数は例えば１回とする。
【手続補正４】
【補正対象書類名】明細書
【補正対象項目名】００１１
【補正方法】変更
【補正の内容】
【００１１】
請求項２記載の発明では、請求項１の発明の構成において、上記自動投入操作手段の一度の操作により、上記最大値を目標とする遊技球の取り込み作動を繰り返し行う自動球送りモードに移行するようになし、該自動球送りモード中であることを報知する報知手段を設ける。
【手続補正５】
【補正対象書類名】明細書
【補正対象項目名】００１２
【補正方法】変更
【補正の内容】
【００１２】
自動球送りモードに設置することにより、遊技球の補給が続く限り、連続的に遊技が可能な状態に維持できる。遊技機の状態が、自動球送りモードに設定されているか否かが一目で確認できる。
【手続補正６】
【補正対象書類名】明細書
【補正対象項目名】００１３
【補正方法】変更
【補正の内容】
【００１３】
請求項３記載の発明では、請求項２に記載の遊技機において、上記自動球送りモードを、上記遊技可能な回数の記憶値が、所定の時間、変化しなければ解除するようになす。
【手続補正７】
【補正対象書類名】明細書
【補正対象項目名】００１４
【補正方法】変更
【補正の内容】
【００１４】
遊技者が自動球送りモードのまま遊技を終了した場合でも、所定時間経過すると自動球送りモードが解除されるので、次に新たな遊技者が遊技を開始する際に、突然自動球送りモードで遊技が開始され、遊技者を困惑させることを回避できる。
【手続補正８】
【補正対象書類名】明細書
【補正対象項目名】００１５
【補正方法】変更
【補正の内容】
【００１５】
請求項４記載の発明では、請求項２または３に記載の遊技機において、上記操作部には、遊技を終了するときに未払い賞球等の払い出しを行う精算操作手段を備え、上記自動球送りモードを、上記精算操作手段または上記手動投入操作手段の操作により解除するようになす。
【手続補正９】
【補正対象書類名】明細書
【補正対象項目名】００１６
【補正方法】変更
【補正の内容】
【００１６】
遊技者が任意に自動球送りモードを解除させることができる。
【手続補正１０】
【補正対象書類名】明細書
【補正対象項目名】００１７
【補正方法】変更
【補正の内容】
【００１７】
請求項５記載の発明では、請求項１に記載の遊技機において、該遊技機には別体のプリペードカード式球貸機が接続され、該プリペードカード式球貸機と通信することで球貸しを行うように構成され、上記制御装置に記憶される上記遊技可能な回数が最大値になると、球貸しを無効にする球貸し禁止状態となし、該球貸し禁止状態は、上記遊技可能な回数の記憶が予め設定した所定の下限値になると解除するようになす。
【手続補正１１】
【補正対象書類名】明細書
【補正対象項目名】００１８
【補正方法】変更
【補正の内容】
【００１８】
上記遊技可能な回数が最大値になった後に所定の回数遊技が終了して遊技可能な回数の記憶が下限値となるまで球貸しが実行されないので、遊技者の誤った操作による球貸しの実行を回避できる。また、賞球払出装置の作動頻度を軽減でき、各遊技機で使用する遊技球の個数を低減できる。
【手続補正１２】
【補正対象書類名】明細書
【補正対象項目名】００１９
【補正方法】変更
【補正の内容】
【００１９】
請求項６記載の発明では、請求項２に記載の遊技機において、該遊技機には別体のプリペードカード式球貸機が接続され、該プリペードカード式球貸機と通信することで球貸しを行うように構成され、上記自動球送りモード中に、球貸し操作を行うと、上記制御装置の上記遊技可能な回数の記憶を加算するようになす。
【手続補正１３】
【補正対象書類名】明細書
【補正対象項目名】００２０
【補正方法】変更
【補正の内容】
【００２０】
実質的に遊技球を移動させないので、賞球払出装置および球取込装置の作動頻度を軽減でき、遊技球の貯留皿等からの落下を少なくできる。